(57)【特許請求の範囲】
【請求項１】
第１表示部と、
第２表示部と、
前記第１表示部を有する第１キャビネットと、
前記第２表示部を有する第２キャビネットと、
前記第１表示部のみが外部に露出する第１形態と、前記第２表示部の少なくとも一部および前記第１表示部が外部に露出する第２形態とで切り替え可能なように前記第１キャビネットと前記第２キャビネットを連結させる機構部と、
前記第１表示部に対する入力を検出する第１検出部と、
前記第２表示部に対する入力を検出する第２検出部と、
前記入力を無効および有効に設定する設定部と、
前記第１表示部および前記第２表示部に画面を表示させる表示制御部とを備え、
前記設定部は、前記第２形態において、前記第１検出部および前記第２検出部のうちの一方の検出部により入力が検出されている場合、他方の検出部により検出された入力を無効に設定し、
前記表示制御部は、前記第１検出部が前記入力を検出したタイミングと前記第２検出部が前記入力を検出したタイミングが所定時間以内であると、前記第１表示部および前記第２表示部に所定の画面を表示する、
ことを特徴とする携帯端末装置。
【請求項２】
請求項１に記載の携帯端末装置において、
前記設定部は、前記一方の検出部により前記入力が検出されてから所定時間の間、前記他方の検出部により検出された前記入力を無効に設定する、
ことを特徴とする携帯端末装置。
【請求項３】
請求項１または２に記載の携帯端末装置において、
前記設定部は、前記第１表示部および前記第２表示部に表示される前記所定の画面に対する前記入力を有効にする、
ことを特徴とする携帯端末装置。
【請求項４】
請求項１または２に記載の携帯端末装置において、
前記設定部は、前記機構部により前記第１形態から前記第２形態に切り替えられ、前記第１検出部および前記第２検出部のうちの一方の検出部により入力が検出された場合、前記他方の検出部により検出された入力を無効に設定する、
ことを特徴とする携帯端末装置。
【請求項５】
第１表示部と、第２表示部と、前記第１表示部を有する第１キャビネットと、前記第２表示部を有する第２キャビネットと、前記第１表示部のみが外部に露出する第１形態と、前記第２表示部の少なくとも一部および前記第１表示部が外部に露出する第２形態とで切り替え可能なように前記第１キャビネットと前記第２キャビネットを連結させる機構部と、前記第１表示部に対する入力を検出する第１検出部と、前記第２表示部に対する入力を検出する第２検出部とを備える携帯端末装置のコンピュータに、
前記第２形態において、前記第１検出部および前記第２検出部のうちの一方の検出部により入力が検出されている場合、他方の検出部により検出された入力を無効に設定する機能と、
前記第１検出部が前記入力を検出したタイミングと前記第２検出部が前記入力を検出したタイミングが所定時間以内であると、前記第１表示部および前記第２表示部に所定の画面を表示する機能と、
を付与するプログラム。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯端末装置には、２つの表示面を有するものがある。たとえば、この種の携帯端末装置は、一つの表示面が外部に現れる閉状態から、２つの表示面が外部に現れる開状態に切換え可能とされ、外部に表れている表示面に対する入力を検出する機能が設けられている。かかる機能において、携帯端末装置が閉状態から開状態に切り替えられると、両方の表示面に対する入力が検出される（たとえば、特許文献１参照）。
【先行技術文献】
【特許文献】
【０００３】
【特許文献１】特開平９−３０５２６２号公報
【発明の概要】
【発明が解決しようとする課題】
【０００４】
上記の構成では、携帯端末装置が閉状態から開状態に切り替えられる間に、ユーザの指などが誤って画面にタッチしてしまうことがある。このタッチによる入力が検出されると、入力に応じた動作がユーザの意図に反して実行されてしまう。
【０００５】
本発明は、かかる課題に鑑みてなされたものであり、誤動作を防止し得る、複数の表示部を含む携帯端末装置を提供することを目的とする。
【課題を解決するための手段】
【０００６】
本発明の携帯端末装置は、第１表示部と、第２表示部と、前記第１表示部を有する第１キャビネットと、前記第２表示部を有する第２キャビネットと、前記第１表示部のみが外部に露出する第１形態と、前記第２表示部の少なくとも一部および前記第１表示部が外部に露出する第２形態とで切り替え可能なように前記第１キャビネットと前記第２キャビネットを連結させる機構部と、前記第１表示部に対する入力を検出する第１検出部と、前記第２表示部に対する入力を検出する第２検出部と、前記入力を無効および有効に設定する設定部と、前記第１表示部および前記第２表示部に画面を表示させる表示制御部とを備える。ここで、前記設定部は、前記第２形態において、前記第１検出部および前記第２検出部のうちの一方の検出部により入力が検出されている場合、他方の検出部により検出された入力を無効に設定する。前記表示制御部は、前記第１検出部が前記入力を検出したタイミングと前記第２検出部が前記入力を検出したタイミングが所定時間以内であると、前記第１表示部および前記第２表示部に所定の画面を表示する。
【０００７】
本態様に係る携帯端末装置において、前記設定部は、前記一方の検出部により前記入力が検出されてから所定時間の間、前記他方の検出部により検出された前記入力を無効に設定するよう構成され得る。
【０００９】
本態様に係る携帯端末装置において、前記設定部は、前記第１表示部および前記第２表示部に表示される前記所定の画面に対する前記入力を有効にするよう構成され得る。
【００１０】
本態様に係る携帯端末装置において、前記設定部は、前記機構部により前記第１形態から前記第２形態に切り替えられ、前記第１検出部および前記第２検出部のうちの一方の検出部により入力が検出された場合、前記他方の検出部により検出された入力を無効に設定するよう構成され得る。
【００１１】
本発明のプログラムは、第１表示部と、第２表示部と、前記第１表示部を有する第１キャビネットと、前記第２表示部を有する第２キャビネットと、前記第１表示部のみが外部に露出する第１形態と、前記第２表示部の少なくとも一部および前記第１表示部が外部に露出する第２形態とで切り替え可能なように前記第１キャビネットと前記第２キャビネットを連結させる機構部と、前記第１表示部に対する入力を検出する第１検出部と、前記第２表示部に対する入力を検出する第２検出部とを備える携帯端末装置のコンピュータに、前記第２形態において、前記第１検出部および前記第２検出部のうちの一方の検出部により入力が検出されている場合、他方の検出部により検出された入力を無効に設定する機能と、前記第１検出部が前記入力を検出したタイミングと前記第２検出部が前記入力を検出したタイミングが所定時間以内であると、前記第１表示部および前記第２表示部に所定の画面を表示する機能と、を付与する。
【発明の効果】
【００１２】
本発明によれば、誤動作を防止し得る、複数の表示部を含む携帯端末装置を提供することができる。
【００１３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１４】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。
【図４】実施の形態に係る操作項目画面を両表示面に表示した図である。
【図５】実施の形態に係る各表示面に対する入力を制限する処理手順を示すフローチャートである。
【図６】実施の形態に係る携帯電話機を閉状態から開状態に切り替える状態を示す模式図である。
【図７】実施の形態に係る携帯電話機を開状態から閉状態に切り替える状態を示す模式図である。
【発明を実施するための形態】
【００１５】
以下、本発明の実施の形態について、図面を参照して説明する。
【００１６】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００１７】
第１キャビネット１０は、横長の直方体形状を有する。第１キャビネット１０の正面には、第１タッチパネルが配されている。第１タッチパネルは、第１ディスプレイ１１および第１タッチセンサ１２を含む。
【００１８】
第１ディスプレイ１１は、表示部に相当し、第１表示面１１ａ１に画像を表示する。第１ディスプレイ１１は、第１液晶パネル１１ａおよび第１バックライト１１ｂで構成されている。第１液晶パネル１１ａの前面に第１表示面１１ａ１が設けられる。第１表示面１
１ａ１上に第１タッチセンサ１２が重ねられている。第１バックライト１１ｂは、１つまたは複数の光源を含み、第１液晶パネル１１ａを照明する。
【００１９】
第１タッチセンサ１２は、第１ディスプレイ１１に対する入力を検出する検出部に相当する。第１タッチセンサ１２は、透明な長方形状のシートであり、第１ディスプレイ１１の第１表示面１１ａ１を覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１１ａ１上の位置を検出し、その入力位置に応じた位置信号を出力する。なお、ユーザが第１表示面１１ａ１を触れるとは、たとえば、ユーザがペンなどの接触部材や指により第１表示面１１ａ１をタッチすることである。第１表示面１１ａ１にタッチした接触部材や指は静止してもよいし、移動してもよい。また、接触部材や指が第１表示面１１ａ１にタッチしている時間は短くても、長くてもよい。
【００２０】
第１キャビネット１０の内部には、中央やや後ろ位置にカメラモジュール１４が配されている。このカメラモジュール１４における被写体像を取り込むためのレンズ窓（図示せず）が、第１キャビネット１０の下面に設けられている。
【００２１】
また、第１キャビネット１０の内部には、前面近傍の中央位置に磁石１５が配されており、右前角部に磁石１６が配されている。
【００２２】
第１キャビネット１０の右側面および左側面には、突起部１７が設けられている。
【００２３】
第２キャビネット２０は、横長の直方体形状であって、第１キャビネット１０とほぼ同じ形状と大きさを有する。第２キャビネット２０には、第２タッチパネルが配されている。第２タッチパネルは、第２ディスプレイ２１および第２タッチセンサ２２を含む。
【００２４】
第２ディスプレイ２１は、表示部に相当し、第２表示面２１ａ１に画像を表示する。第２ディスプレイ２１は、第２液晶パネル２１ａおよび第２バックライト２１ｂで構成されている。第２液晶パネル２１ａの前面に第２表示面２１ａ１が設けられる。第２バックライト２１ｂは１つまたは複数の光源を含み、第２液晶パネル２１ａを照明する。なお、第１ディスプレイ１１および第２ディスプレイ２１は、有機ＥＬ等他の表示素子により構成されてもよい。
【００２５】
第２タッチセンサ２２は、第２ディスプレイ２１に対する入力を検出する検出部に相当する。第２タッチセンサ２２は、第１タッチセンサ１２と同様の形状および構成を有する。第２タッチセンサ２２は、第２ディスプレイ２１の第２表示面２１ａ１を覆い、ユーザが触れた第２表示面２１ａ１上の位置を検出し、その入力位置に応じた位置信号を出力する。
【００２６】
第２キャビネット２０の内部には、後面近傍の中央位置に磁石２４が配されている。
この磁石２４と第１キャビネット１０の磁石１５とは、後述する開状態で互いに引き合うよう配置されている。
【００２７】
第２キャビネット２０の内部において、右前角部には閉鎖センサ２５が配されている。閉鎖センサ２５は、たとえば、ホールＩＣなどで構成され、磁石１６の磁力を検出すると、センサ信号を出力する。後述する閉状態で、第１キャビネット１０の磁石１６が閉鎖センサ２５に接近するので、センサ信号が閉鎖センサ２５からＣＰＵ１００へ出力される。一方、開状態になると、第１キャビネット１０の磁石１６が閉鎖センサ２５から離れるので、閉鎖センサ２５からセンサ信号が出力されない。
【００２８】
第２キャビネット２０の両側面にはそれぞれ２つの軸部２７が設けられている。
【００２９】
保持体３０は、底板部３１と、底板部３１の右端部に形成された右保持部３２と、底板部３１の左端部に形成された左保持部３３とで構成されている。
【００３０】
底板部３１には、３つのコイルバネ３４が左右方向に並ぶように配されている。第２キャビネット２０が保持体３０に取り付けられた状態において、コイルバネ３４は、第２キャビネット２０の下面に当接し、第２キャビネット２０に対して上方に押し上げる力を付与する。
【００３１】
右保持部３２の上面にはマイク３５および電源キー３６が配されている。左保持部３３の上面には、スピーカ３８が配されている。また、右保持部３２の外側面には、複数のハードキー３７が配されている。
【００３２】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００３３】
携帯電話機１を組み立てる際には、軸部２７が案内溝３９の下溝３９ｂに挿入され、第２キャビネット２０が保持体３０の収容領域Ｒ内に配置される。突起部１７が案内溝３９の上溝３９ａに挿入され、第１キャビネット１０が第２キャビネット２０の上に配置され、第１キャビネット１０が保持体３０の収容領域Ｒ内に収まる。
【００３４】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに案内されて前後にスライド可能である。第２キャビネット２０は、下溝３９ｂに案内されて前後にスライド可能である。また、第２キャビネット２０が前方に移動し、軸部２７が縦溝３９ｃまでくると、第２キャビネット２０は、縦溝３９ｃに案内されて上下にスライド可能となる。
【００３５】
図２（ａ）〜図２（ｄ）は、携帯電話機１を閉状態から開状態へ切り替えるための操作について説明するための図である。
【００３６】
図２（ａ）に示す閉状態では、第１キャビネット１０が第２キャビネット２０の上に重ねられて、携帯電話機１が畳まれる。閉状態は、第１キャビネット１０により第２表示面２１ａ１が覆われる第１形態に相当する。閉状態では、第１表示面１１ａ１のみが外部に露出する。
【００３７】
図２（ｂ）に示す矢印の方向に、第１キャビネット１０が後方に移動し、図２（ｃ）に示す矢印の方向に、第２キャビネット２０が前方へ引き出される。これにより、閉鎖センサ２５が磁石１６の磁力を検出せず、センサ信号を出力しなくなると、携帯電話機１は開状態に切り替えられる。この開状態では、第２表示面２１ａ１の一部が外部に現れる。
【００３８】
第２キャビネット２０が第１キャビネット１０に完全に重ならなくなると、図１に示す軸部２７が縦溝３９ｃにくる。これにより、軸部２７が縦溝３９ｃに沿って動き、第２キャビネット２０は上下に移動可能になる。このとき、コイルバネ３４の弾性力と、磁石１５および磁石２４の引力とにより、第２キャビネット２０は上昇する。
【００３９】
図２（ｄ）に示すように、第２キャビネット２０が第１キャビネット１０と密着して並び、第２表示面２１ａ１が第１表示面１１ａ１と同じ高さになる。これにより、第１キャビネット１０および第２キャビネット２０が広げられて、第１表示面１１ａ１と第２表示面２１ａ１の双方が外部に露出する。
【００４０】
なお、開状態は、図２（ｂ）〜図２（ｄ）に示すように、第２表示面２１ａ１の少なくとも一部が外部に露出する第２形態に相当する。
【００４１】
また、突起部１７が案内溝３９の案内溝３９の上溝３９ａを移動し、軸部２７が下溝３９ｂ、縦溝３９ｃおよび上溝３９ａを移動することにより、閉状態および開状態が切り替えられる。このため、突起部１７、軸部２７および案内溝３９が閉状態および開状態を切替可能なように、第１キャビネット１０および第２キャビネット２０を連結させる機構部に相当する。
【００４２】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９、電源部３１０およびクロック３１１を備えている。
【００４３】
カメラモジュール１４はＣＣＤ等の撮像素子を有する。カメラモジュール１４は、撮像素子から出力された撮像信号をデジタル化し、その撮像信号にガンマ補正等の各種補正を施して映像エンコーダ３０１へ出力する。映像エンコーダ３０１は、カメラモジュール１４からの撮像信号にエンコード処理を施してＣＰＵ１００へ出力する。
【００４４】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００４５】
キー入力回路３０３は、電源キー３６やハードキー３７の各キーが押されたときに、各キーに応じた入力信号をＣＰＵ１００へ出力する。
【００４６】
通信モジュール３０４は、ＣＰＵ１００からの情報を無線信号に変換し、アンテナ３０４ａを介して基地局へ送信する。また、通信モジュール３０４は、アンテナ３０４ａを介して受信した無線信号を情報に変換してＣＰＵ１００へ出力する。
【００４７】
バックライト駆動回路３０５は、ＣＰＵ１００からの制御信号に応じた電圧を第１バックライト１１ｂおよび第２バックライト２１ｂに印加する。第１バックライト１１ｂは、バックライト駆動回路３０５による電圧により点灯し、第１液晶パネル１１ａを照明する。第２バックライト２１ｂは、バックライト駆動回路３０５による電圧により点灯し、第２液晶パネル２１ａを照明する。
【００４８】
映像デコーダ３０６は、ＣＰＵ１００からの画像情報を第１液晶パネル１１ａおよび第２液晶パネル２１ａで表示できる映像信号に変換し、これらを液晶パネル１１ａ、２１ａに出力する。第１液晶パネル１１ａは、映像信号に応じた画像を第１表示面１１ａ１に表示する。第２液晶パネル２１ａは、映像信号に応じた画像を第２表示面２１ａ１に表示する。
【００４９】
音声デコーダ３０７は、ＣＰＵ１００からの音声信号と、着信音やアラーム音等の各種
報知音の音信号とにデコード処理を施し、さらにアナログ信号に変換してスピーカ３８に出力する。スピーカ３８は、音声デコーダ３０７からの音声信号や音信号を再生する。
【００５０】
バッテリー３０９は、ＣＰＵ１００やＣＰＵ１００以外の各部へ電力を供給するためのものであり、二次電池からなる。バッテリー３０９は電源部３１０に接続されている。
【００５１】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００５２】
クロック３１１は、時間を計測し、計測した時間を応じた信号をＣＰＵ１００へ出力する。
【００５３】
メモリ２００は、ＲＯＭおよびＲＡＭを含む。
【００５４】
メモリ２００には、ＣＰＵ１００に制御機能を付与するための制御プログラムが記憶されている。かかる制御プログラムには、各表示面１１ａ１、２１ａ１に対する入力を有効または無効に設定する制御プログラムが含まれる。
【００５５】
メモリ２００には、操作項目画面の画像情報が記憶されている。操作項目画面は、１つまたは複数のアイコンを含む。操作項目画面に配置されるアイコンは、予め設定されていてもよいし、ユーザにより任意に設定されてもよい。アイコンは、処理の内容を表わした画像である。アイコンが表わす処理内容は、アイコンの表示位置と対応付けられて、対応情報としてメモリ２００に保存されている。処理内容としては、処理に使用されるアプリケーションプログラム（以下、「アプリケーション」と言う。）および処理対象のファイルなどが挙げられる。これらのアプリケーションおよびファイルはメモリ２００に記憶されている。
【００５６】
ＣＰＵ１００は、キー入力回路３０３からの入力信号および各タッチセンサ１２、２２からの位置信号に基づき、制御プログラムに従って、カメラモジュール１４、マイク３５、通信モジュール３０４、液晶パネル１１ａ、２１ａ、スピーカ３８、スピーカ３８等を動作させる。これにより、ＣＰＵ１００は、通話機能、電子メール機能、キーロック機能等の各種アプリケーションを実行する。
【００５７】
ＣＰＵ１００は、設定部として、各表示面１１ａ１、２１ａ１に対する入力を無効または有効に設定する。各表示面１１ａ１、２１ａ１に対する入力が有効に設定されていると、ＣＰＵ１００は、各タッチセンサ１２、２２からの位置信号を受け付け、後述する実行部に、位置信号の入力位置に応じた処理を実行させる。また、各表示面１１ａ１、２１ａ１に対する入力が無効に設定されると、ＣＰＵ１００は、各タッチセンサ１２、２２からの位置信号を受けるが、実行部に位置信号に基づいた処理を実行させない。なお、閉状態では、第２表示面２１ａ１が隠れ、第２表示面２１ａ１に対して入力できず、第２表示面２１ａ１に対する入力に応じた処理は実行されない。このことから、閉状態において第２タッチセンサ２２からの入力が無効に設定されてもよいし、設定されなくてもよい。
【００５８】
この入力の無効および有効の設定は、ユーザからの入力に応じて変えられる。すなわち、他の入力に先行する入力（以下、「先行入力」と言う。）が第１タッチセンサ１２により検出されている間、第２表示面２１ａ１に対する入力が無効に設定される。また、先行入力が第２タッチセンサ２２により検出されている間、第１表示面１１ａ１に対する入力が無効に設定される。
【００５９】
なお、先行入力とは、両タッチセンサ１２、２２が入力を検出していない状態から最初に各タッチセンサ１２、２２のいずれか一方によって検出された入力である。
【００６０】
たとえば、携帯電話機１が閉状態から開状態に切り替えられると、第２タッチセンサ２２が入力を検出していない状態から、両タッチセンサ１２、２２が入力を検出する状態になる。このため、開状態に切り替えられてから初めて両タッチセンサ１２、２２の一方により検出された入力が先行入力となる。この先行入力が検出されている間、両表示面１１ａ１、２１ａ１の他方に対する入力が無効にされる。
【００６１】
また、開状態において入力操作がなされている間も、各表示面１１ａ１、２１ａ１から指が離れる度に、両タッチセンサ１２、２２が入力を検出していない状態となる。このため、各表示面１１ａ１、２１ａ１から指が離れてから、次に両表示面１１ａ１、２１ａ１の一方に指がタッチされると、このタッチによる入力が先行入力となる。そして、両表示面１１ａ１、２１ａ１の一方に指がタッチされている間、両表示面１１ａ１、２１ａ１の他方に対する入力が無効にされる。
【００６２】
ただし、両タッチセンサ１２、２２の一方が先行入力を検出してから所定時間の間に、両タッチセンサ１２、２２の他方が先行入力に後続する入力（以下、「後続入力」と言う。）を検出すると、ＣＰＵ１００は、両方の入力を有効に設定する。具体的には、ＣＰＵ１００は、両タッチセンサ１２、２２の一方から位置信号を受けたタイミングから所定時間の間に、両タッチセンサ１２、２２の他方から位置信号を受けると、両表示面１１ａ１、２１ａ１が同時にタッチされたと判断し、両表示面１１ａ１、２１ａ１に対する入力を有効に設定する。両表示面１１ａ１、２１ａ１に対する入力は、後述する所定画面が表示されている間有効に設定される。これにより、ＣＰＵ１００は、所定画面に対する入力に応じた処理を実行部として実行する。
【００６３】
ＣＰＵ１００は、実行部として、各表示面１１ａ１、２１ａ１に対する入力が有効に設定されている間、ユーザの入力に応じた処理を実行する。たとえば、ユーザがアイコンを選択すると、ＣＰＵ１００はタッチセンサから入力信号を受け、位置信号に応じた入力位置を求める。ＣＰＵ１００は、入力位置に表示されるアイコンおよびアイコンの処理内容をメモリ２００の対応情報に基づいて特定する。ＣＰＵ１００は、処理内容に応じたアプリケーションやファイルなどをメモリ２００から読み出して、アプリケーションを実行する。
【００６４】
ＣＰＵ１００は、表示制御部として、映像デコーダ３０６およびバックライト駆動回路３０５へ制御信号を出力する。たとえば、ＣＰＵ１００は、バックライト駆動回路３０５を制御し、各バックライト１１ｂ、２１ｂを消灯する。一方、ＣＰＵ１００は、各バックライト１１ｂ、２１ｂを点灯すると共に、映像デコーダ３０６を制御し、各表示面１１ａ１、２１ａ１に画像を表示させる。なお、ＣＰＵ１００は、各表示面１１ａ１、２１ａ１に画像を表示する際のコントラスト、輝度、画面サイズ、および画面の透明度なども制御する。
【００６５】
たとえば、ＣＰＵ１００は、設定部により同時タッチと判断されると、図４に示す所定画面の画像情報をメモリ２００から読み出し、所定画面を各表示面１１ａ１、２１ａ１に表示する。たとえば、図４に示す操作項目画面が所定画面として両表示面１１ａ１、２１ａ１に表示される。操作項目画面上には、複数個、たとえば、１６個のアイコンが配置されている。なお、所定画面は、予め設定されていてもよいし、ユーザにより任意に設定されてもよい。
【００６６】
＜第１の実施形態の処理手順＞
図４は、操作項目画面を両表示面１１ａ１、２１ａ１に表示した図である。図５は、各表示面１１ａ１、２１ａ１に対する入力を有効または無効に設定する処理手順を示すフローチャートである。
【００６７】
各表示面１１ａ１、２１ａ１に対する入力を制限するモードが設定されている間、各表示面１１ａ１、２１ａ１に対する入力を有効または無効に設定する処理がＣＰＵ１００により実行される。
【００６８】
まず、各表示面１１ａ１、２１ａ１に対する入力が有効に設定された状態で、各表示面１１ａ１、２１ａ１に対する先行入力が監視される(Ｓ１０１)。
【００６９】
たとえば、第１表示面１１ａ１がユーザによりタッチされると、ＣＰＵ１００は、位置信号を第１タッチセンサ１２から受け、第１表示面１１ａ１に対して先行入力がなされたと判断する (Ｓ１０１:ＹＥＳ) 。
【００７０】
次に、先行入力の際における携帯電話機１の状態が判定される(Ｓ１０２)。ＣＰＵ１００は、センサ信号を閉鎖センサ２５から受けていれば、携帯電話機１が開状態でないと判断する(Ｓ１０２:ＮＯ)。このとき、携帯電話機１は閉状態であり、第２表示面１１ａ１
第２表示面２１ａ１に対する入力ができない。これにより、仮に第１表示面に１１ａ１対して先行入力がなされても、第２表示面２１ａ１に対する入力を無効に設定する必要がないことから、ＣＰＵ１００は、Ｓ１０１の処理に戻り、さらに先行入力を監視する。
【００７１】
一方、ＣＰＵ１００がセンサ信号を閉鎖センサ２５から受けていなければ、携帯電話機１が開状態であると判断される(Ｓ１０２:ＹＥＳ)。開状態では、両表示面１１ａ１、２
１ａ１が外部に現れ、両表示面１１ａ１、２１ａ１に対する入力が可能となる。
【００７２】
次に、クロック３１１からの信号に基づいて、第１表示面１１ａ１に対する先行入力からの経過時間が計測される(Ｓ１０３)。経過時間が所定時間以内に、位置信号が第２タッチセンサ２２から入力されるか否かが監視される(Ｓ１０４)。
【００７３】
ユーザが第１表示面１１ａ１と第２表示面２１ａを同時に触れると、ＣＰＵ１００は、先行入力から所定時間以内に位置信号を第２タッチセンサ２２から受ける。この位置信号に基づいて、第１表示面１１ａ１に対する先行入力と第２表示面２１ａ１に対する後続入力とが同時になされた同時タッチであると判断される(Ｓ１０４:ＹＥＳ)。
【００７４】
このような同時タッチとの判断結果に応じて、第１表示面１１ａ１および第２表示面２１ａ１に操作項目画面が表示される(Ｓ１０５)。なお、操作項目画面が両表示面１１ａ１、２１ａ１に表示されている間、両タッチセンサ１２、２２からの入力は有効のままである。ここで、ユーザが操作項目画面のアイコンを選択すると、アイコンに応じたアプリケーションが実行される(Ｓ１０６:ＹＥＳ)。これにより、操作項目画面に代わって、アプ
リケーションの画面が各表示面１１ａ１、２１ａ１に表示される。ＣＰＵ１００はＳ１０１の処理に戻り、ユーザの操作に応じて各表示面１１ａ１、２１ａ１に対する入力が再び制限される。
【００７５】
一方、ユーザが第１表示面１１ａ１に触れてから所定時間経過後に第２表示面２１ａ１に触れると、第１表示面１１ａ１に対する先行入力と第２表示面２１ａ１に対する後続入力は同時タッチでないと判断される(Ｓ１０４:ＮＯ)。これにより、第２表示面２１ａ１
に対する後続入力が無効に設定される(Ｓ１０７)。このため、第２表示面２１ａ１のアイコン上にユーザが指を触れても、アイコンに基づく処理は実行されない。
【００７６】
そして、ＣＰＵ１００は、引き続き、第１表示面１１ａ１に対する先行入力を監視し、第１タッチセンサ１２からの位置信号がＣＰＵ１００へ出力されている間は先行入力が継続していると判断する(Ｓ１０８：ＮＯ)。よって、ユーザは、第１表示面１１ａ１に最初に触れた状態から指を離さなければ、第２表示面２１ａ１に対する後続入力が無効に設定されるため(Ｓ１０７)、第２表示面２１ａ１の触れる位置を気にせずにすむ。
【００７７】
一方、ユーザが第１表示面１１ａ１から指を離すと、先行入力は継続されていないと判断される(Ｓ１０８:ＹＥＳ)。そこで、ＣＰＵ１００は、無効に設定されていた第２表示
面２１ａ１に対する入力を有効に設定し(Ｓ１０９)、Ｓ１０１の処理に戻る。
【００７８】
以上、本実施形態によれば、先にタッチされた表示面１１ａ１、２１ａ１に対する入力が有効に設定され、その表示面１１ａ１、２１ａ１にタッチされている間は、他方の表示面１１ａ１、２１ａ１に対する入力が無効に設定される。
【００７９】
このため、携帯電話機が閉状態から開状態に切り替えられる際、図６（ａ）に示すように、ユーザは、外部に表れている第１表示面１１ａ１の画面を見ながら注意して、アイコンの表示されていない位置に指を置く。図６（ｂ）に示すように、ユーザは、第１表示面１１ａ１に最初に触れた状態から指を離さなければ、誤って第２表示面２１ａ１のアイコンに他の手の指が触れても誤動作しない。よって、第２表示面２１ａ１の触れる位置を気にせずに、第２キャビネット２０を持って、閉状態から開状態に携帯電話機１を切り替えることができる。
【００８０】
また、開状態から閉状態へ携帯電話機１が切り替えられる場合には、図７（ａ）に示すように、ユーザは、第１表示面１１ａ１のアイコンの配置を見ながら、アイコンが表示されていない位置に指を置く。ユーザが第１表示面１１ａ１と同時またはほぼ同時に第２表示面２１ａ１を触らなければ、同時タッチではないので、第２表示面２１ａ１に対する入力が無効に設定される。このため、図７（ｂ）に示すように、ユーザは、第１表示面１１ａ１に触れている限り、第２表示面２１ａ１のアイコン位置に気にせずに、第２キャビネット２０を持つことができる。そして、図７（ｃ）に示すように、第１キャビネット１０が第２キャビネット２０上に重ねられていくと、第２表示面２１ａ１の外部に表れている面積が狭くなるため、ユーザは第２表示面２１ａ１の指の位置を移動させる必要がある。ただし、第１表示面１１ａ１にユーザの指が触れている間、第２表示面２１ａ１に対する入力は無効であるため、ユーザは第２表示面２１ａ１のアイコンの位置を気にせずに、指の位置を移動させることができる。
【００８１】
このように、携帯電話機１の状態の切替時など、各表示面１１ａ１、２１ａ１にユーザが誤ってタッチしてしまう機会が多い場合に、ユーザは両方の表示面１１ａ１、２１ａ１に対するタッチ位置を気に掛けずに済み、操作性に優れる。
【００８２】
また、本実施形態によれば、一方の表示面１１ａ１、２１ａ１に対する入力を行っている最中に、操作していない他方の表示面１１ａ１、２１ａ１に対してユーザが誤って入力してしまっても、入力に応じた処理が実行されずに済む。このようなユーザが意図していない処理の実行が防止され得る。また、ユーザは、一方の表示面１１ａ１、２１ａ１に対して入力操作している間に、他方の表示面１１ａ１、２１ａ１に入力しないように注意する必要がなく、操作性に優れる。
【００８３】
さらに、本実施形態によれば、ユーザは両表示面１１ａ１、２１ａ１を同時にタッチすると、操作項目画面などの所定画面が両表示面１１ａ１、２１ａ１に表示され、所定画面に対する入力が有効に設定される。このように、同時タッチなど、ユーザがタッチするタイミングを調整した場合には、ユーザの意図に応じて、両表示面１１ａ１、２１ａ１に対
する入力が有効になり、利便性に優れる。
【００８４】
＜その他の実施形態＞
以上、本発明の実施の形態について説明したが、本発明は、上記実施の形態によって何ら制限されるものではなく、また、本発明の実施の形態も、上記以外に種々の変更が可能である。
【００８５】
たとえば、上記実施形態では、両表示面１１ａ１、２１ａ１の一方に対する入力が各タッチセンサ１２、２２により検出されている間、他方の表示面１１ａ１、２１ａ１に対する入力が無効に設定された。これに対して、両表示面１１ａ１、２１ａ１の一方に対する先行入力が各タッチセンサ１２、２２により検出され、その後検出されなくなってからも先行入力から所定時間の間は、他方の表示面に対する入力が無効に設定されるような構成とされてもよい。これにより、ユーザが一方の表示面１１ａ１、２１ａ１に対して一連の操作をしている間は、他方の表示面に対する入力が制限され、操作性の向上がさらに図られる。
【００８６】
また、上記実施形態では、両タッチセンサ１２、２２の一方が先行入力を検出してから所定時間の間に、両タッチセンサ１２、２２の他方が後続入力を検出すると、同時タッチであると判断される。このように、先行入力と後続入力との間に所定時間が設けられたが、所定時間が設けられなくてもよい。この場合、両表示面１１ａ１、２１ａ１が同じタイミングでユーザによりタッチされたときのみ、同時タッチされたと判断され、両表示面１１ａ１、１１ａ２に操作項目画面が表示される。なお、同時タッチされた場合に、操作項目画面が表示されるのではなく、双方のタッチが受け付けられないようにしても良い。
【００８７】
さらに、上記実施形態では、両表示面１１ａ１、２１ａ１が同時にタッチされた場合、操作項目画面が両表示面１１ａ１、２１ａ１に対して表示されたが、操作項目画面が表示されなくてもよい。この場合、同時にタッチされたことによる入力は受け付けられない。
【００８８】
また、上記実施形態では、第２キャビネット２０の右前角部に閉鎖センサ２５が配されたが、閉鎖センサ２５に代えてまたは閉鎖センサ２５と共に、開放センサが配されてもよい。開放センサは第２キャビネット２０の右後角部に設けられる。閉状態から開状態へ携帯電話機１が切り替えられると、第１キャビネット１０の磁石１６が開放センサに接近し、開放センサから信号がＣＰＵ１００へ出力される。よって、閉鎖センサ２５からの信号がなくなってから、開放センサからの信号がＣＰＵ１００へ出力されるまでの間が、携帯電話機１の切替時と判断される。この切替時に、両表示面１１ａ１、２１ａ１に対する入力が無効にされると、誤動作の防止がさらに図られる。
【００８９】
また、上記実施形態では、携帯電話機１を用いたが、ＰＤＡや携帯ゲーム機などの携帯端末装置を用いることもできる。
【００９０】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【００９１】
１  携帯電話機
１０  第１キャビネット
１１  第１ディスプレイ
１２  第１タッチセンサ
２０  第２キャビネット
２１  第２ディスプレイ
２２  第２タッチセンサ
１７  突起部
２７  軸部
３９  案内溝
１００  ＣＰＵ
２００  メモリ
【図１】
0005661499.tif 000002
【図２】
0005661499.tif 000003
【図３】
0005661499.tif 000004
【図４】
0005661499.tif 000005
【図５】
0005661499.tif 000006
【図６】
0005661499.tif 000007
【図７】
0005661499.tif 000008